(57)【要約】【課題】構造が簡単で、スリップ部分が足裏の感覚にフィットできるようにした靴を提供する。【解決手段】靴底３の前方踏付け部３Ａにおける内側部分（親指側部分）をスリップ性の素材よりなるスリップ部６により形成し、同外側部分（小指側部分）を非スリップ性の素材よりなる非スリップ部７により形成し、スリップ部６と非スリップ部７とが面方向に連続するように接合されて靴底の部分を構成している。【選択図】      図１
0003126498.tif 000002
【実用新案登録請求の範囲】
【請求項１】
靴底の前方踏付け部における内側部分をスリップ性の素材よりなるスリップ部（６）により形成し、同外側部分を非スリップ性の素材よりなる非スリップ部（７）により形成し、前記スリップ部（６）と非スリップ部（７）とが面方向に連続するように接合されて靴底の部分を構成していることを特徴とする靴。
【請求項２】
前記スリップ部（６）と前記非スリップ部（７）とが、靴底の略中心線の左右に沿って形成されていることを特徴とする請求項１に記載の靴。
【請求項３】
前記スリップ部（６）と前記非スリップ部（７）とが、靴底の略中心線の左右に形成されるとともに、スリップ部（６）の前部が非スリップ部（７）の前部である靴底の先端部分を覆う形で前記中心線から外側に延長され、延長部（６Ａ）とされていることを特徴とする請求項１に記載の靴。
【請求項４】
前記スリップ部（６）は、天然若しくは合成の比較的柔軟な皮革素材により形成され、前記非スリップ部（７）は、ラバーやポリウレタン等のゴム質素材により形成されていることを特徴とする請求項１乃至３のいずれか１項記載の靴。
【請求項５】
前記スリップ部（６）の底面は略平坦な面により形成され、前記非スリップ部（７）の底面は波形や小突起状等の滑り止め凹凸面により形成されたことを特徴とする請求項１乃至４のいずれか１項記載の靴。
【請求項６】
前記スリップ部（６）と前記非スリップ部（７）は、靴本体（２）の前方踏付け部の全体に設けられた補強用靴底板（５）の外面に接着して設けられていることを特徴とする請求項１乃至５のいずれか１項記載の靴。
【請求項７】
前記スリップ部（６）と前記靴底板（５）とは、共に、天然若しくは合成の比較的柔軟な皮革素材により形成されていることを特徴とする請求項６に記載の靴。
【請求項８】
靴底の前方踏付け部における内側部分をスリップ性の素材よりなるスリップ部（６）により形成し、同外側部分を非スリップ性の素材よりなる非スリップ部（７）により形成し、前記スリップ部（６）と非スリップ部（７）とが面方向に連続するように接合され、靴本体（２）の前方踏付け部の全体に設けられる補強用靴底板（５）の外面に接着して設けられていることを特徴とする靴の靴底。
【請求項９】
前記スリップ部（６）と前記非スリップ部（７）とが、靴底の略中心線の左右に沿って形成されていることを特徴とする請求項８に記載の靴の靴底。
【請求項１０】
前記スリップ部（６）と前記非スリップ部（７）とが、靴底の略中心線の左右に形成されるとともに、スリップ部（６）の前部が非スリップ部（７）の前部である靴底の先端部分を覆う形で前記中心線から外側に延長され、延長部（６Ａ）とされていることを特徴とする請求項８に記載の靴の靴底。
【考案の詳細な説明】
【技術分野】
【０００１】
本考案は靴及び靴底に関し、特に、バトントワリング、スポーツダンス、バレーなどのパフォーマンス用シューズとして好適な構造に関するものである。
【背景技術】
【０００２】
カジュアルシューズや、運動用シューズ１００の靴底１０１は、例えば図３に示すように、その全面がラバーやポリウレタンなどゴム質素材よりなるゴム底であることが一般的であり、土踏まず部を除く前方踏付け部及び踵部には、波形など所定意匠形状の滑り止め凹凸面を形成することにより摩擦力を増している。これはゴム底の持つ摩擦力を利用して確実な着地や、跳躍時における反力を得たり、身体の平衡を保つことを目的としているためである。
【０００３】
ところで、バトントワリング、スポーツダンス、バレーなどのパフォーマンスを行う競技や芸術的身体活動の場合には、足を回転させたり、足を滑らすなどの運動を多く取入れ、一時的に不安定な状態を作り出しつつ、次の姿勢に移行する運動を伴うものであるため、靴底の部位によっては、摩擦力を減じた方が良い場合がある。
【０００４】
このようなパフォーマンス用シューズとして、従来では例えば下記特許文献１に示すように、靴底の前方踏みつけ部にスリップ部材を円又は円弧状に埋設して設けたものがある。
【特許文献１】実用新案公開平４−４０８０４号公報
【考案の開示】
【考案が解決しようとする課題】
【０００５】
しかしこの靴底構造では、スリップ部材を靴底に埋設したものであるため、構造的に複雑であり、成形が面倒である。また、スリップ部材としては靴底の材質よりも硬質な材料を用いているため、足裏の感覚が得にくいなどの課題があった。
【０００６】
そこで本考案は以上の課題を解決するものであって、構造が簡単で、スリップ部分が足裏の感覚にフィットできるようにした靴を提供するものである。
【課題を解決するための手段】
【０００７】
前記目的を達成するため本考案に係る靴１は、靴底３の前方踏付け部３Ａにおける内側部分（親指側部分）をスリップ性の素材よりなるスリップ部６により形成し、同外側部分（小指側部分）を非スリップ性の素材よりなる非スリップ部７により形成し、前記スリップ部６と非スリップ部７とが面方向に連続するように接合されて靴底の部分を構成していることを特徴としている。
【０００８】
前記スリップ部６と前記非スリップ部７とが、靴底３の略中心線の左右に沿って形成されていることを特徴とする。
【０００９】
また、前記スリップ部６と前記非スリップ部７とが、靴底の略中心線の左右に形成されるとともに、スリップ部６の前部が非スリップ部７の前部である靴底の先端部分を覆う形で、前記中心線から外側に延長され、延長部６Ａとされた構成としてもよい。
【００１０】
前記スリップ部６は、天然若しくは合成の比較的柔軟な皮革素材により形成され、前記非スリップ部７は、ラバーやポリウレタン等のゴム質素材により形成されていることを特徴とする。
【００１１】
前記スリップ部６の底面は略平坦な面により形成され、前記非スリップ部７の底面は波形や小突起状等の滑り止め凹凸面７ａとされていることが望ましい。
【００１２】
また、前記スリップ部６と前記非スリップ部７は、靴底本体２の前方踏付け部３Ａの全体に被着して設けられた補強用の靴底板５の外底面に強力接着剤により接着して設けられていることを特徴とする。靴底板５は、上記スリップ部６と同様の天然若しくは合成の比較的柔軟な皮革素材により形成させることが、靴底全体の一体化及び靴への取付強度を向上させる点で望ましい。
【考案の効果】
【００１３】
本考案によれば、運動や動作の基点となる足の親指が位置する靴底３の前方踏付け部３Ａにおける内側部分をスリップ性の素材よりなるスリップ部６により形成しているため、身体を回転させたり滑らせたりする、いろいろなパフォーマンス動作を滑らかに容易に行わせることができる。また、滑ってはいけない動作の時には、外側部分の非スリップ部７を活用することができ、自由な動作と安全性の双方に優れている。
【００１４】
上記スリップ部６と非スリップ部７とを、靴底本体２の前方踏付け部３Ａの全体に被着して設けられた補強用の靴底板５の外底面に強力接着剤により接着して設けることにより、スリップ部６と非スリップ部７との接合状態が安定し、使用中に剥がれてくるなどの不都合がない。また、この靴底板５を上記スリップ部６と同様の天然若しくは合成の比較的柔軟な皮革素材により形成させることにより、靴底板５とスリップ部６とが一体に被着され、その形成状態が一層安定し、強固である。また、靴底板５の靴本体への取付作業も容易となる。
【００１５】
また、本考案の靴底によれば、おおざっぱに親指側のスリップ部６と小指側の非スリップ部７とに区分けし、区分に応じて形成された片同士を接合して形成すればよいため、構造が簡単で製造も容易であり、修理なども容易である。
【考案を実施するための最良の形態】
【００１６】
以下、本考案の最良の形態につき、添付図面を参照して説明する。図１は本考案の第１実施形態による靴の底面図及び側面図である。
【００１７】
図において、靴１は、バトントワリング、スポーツダンス、バレーなどのパフォーマンス用シューズであり、その靴本体２の靴底３は、前方踏付け部３Ａと中間土踏まず部３Ｃと後方踵部３Ｂよりなり、前方踏付け部３Ａが本考案に係る靴底構造とされている。
【００１８】
しかして、前方踏付け部３Ａの外底面全体には、補強用の皮材よりなる靴底板５が、接着及び逢着により被着して設けられている。
【００１９】
靴底板５の外底面には、その親指側半部である内側部分に、スリップ性のシート状素材よりなるスリップ部６が設けられ、その小指側半部である外側部分に、非スリップ性のシート状素材よりなる非スリップ部７が、面方向に連続して、強力接着剤により接着して設けられている。スリップ部６と非スリップ部７とは、靴底の略中心線の左右に沿って形成され、全体として、靴底板５の外縁に沿ってやや小径に形成されている。
【００２０】
上記スリップ部６は、天然若しくは合成の比較的柔軟な皮革素材により形成され、上記非スリップ部７は、ラバーやポリウレタン等の引っ張り強度のある硬質のゴム質素材により形成されている。また、上記靴底板５は、上記スリップ部６と同様の天然若しくは合成の比較的柔軟な皮革素材により形成されている。
【００２１】
踵部３Ｂは、クッション性のある厚手のゴム質素材よりなる踵部材４の外底面に、非スリップ性の踵板材８が接着して設けけられている。踵板材８は、上記非スリップ部７の素材と同様の、ラバーやポリウレタン等の引っ張り強度のある硬質のゴム質素材により形成されている。非スリップ部７及び踵板材８の底面は、波形などの滑り止め凹凸面７ａ，８ａとされている。
【００２２】
この実施形態では、土踏まず部３Ｃには、ゴム質材は設けられておらず、靴本体２の底面を形成する皮材が表出されている。しかしながら、靴本体２の靴底３を構成する、前方踏付け部３Ａ、中間土踏まず部３Ｃ及び後方踵部３Ｂの全体に、連続してゴム質の板材が設けられていてもさしつかえない。
【００２３】
従って、以上の靴１の着用者は、靴本体２を構成する外装皮革の柔軟性により、足形に完全にフィットさせることができる。そして、パフォーマンス時には、親指側に足先の重心をかけることで、床面に対して滑りやすい状態となり、回転、滑りを伴う運動に好適な状態となり、このときスリップ部６は柔軟な素材からなるものであるため、その状態を足先に伝えやすいものとなる。またこの状態から小指側に足先の重心を移動することで、非スリップ部７側が接することになって床面との摩擦力が確保でき、不安定状態から容易に立直ることができるものとなる。
【００２４】
次に第２の実施形態を説明する。図２は本考案の第２実施形態による靴の底面図及び側面図である。なお、第１実施形態と同一箇所には同一符号を付し、異なる箇所にのみ異なる符号を用いて説明する。
【００２５】
第２実施形態に係る靴１では、前記スリップ部６と前記非スリップ部７とが、靴底の略中心線の左右に形成されるとともに、スリップ部６の前部が非スリップ部７の前部であって靴底の先端部分を覆う形で、前記中心線から内側に延長され、延長部６Ａとされている。
【００２６】
従って、第２実施形態では、着用者の親指側の付け根部分及び足の先端部分が床面に接している状態で滑りやすい状態となり、回転動作などをスムーズに行わせることができる。また、僅かな重心移動により摩擦力が高い安定位置に推移することができるものとなる。
【図面の簡単な説明】
【００２７】
【図１】第１実施形態による靴の底面図及び側面図である。
【図２】第２実施形態による靴の底面図及び側面図である。
【図３】従来の運動靴の底面図及び側面図である。
【符号の説明】
【００２８】
１  靴
２  靴本体
３  靴底、３Ａ  前方踏付け部、３Ｂ  踵部、３Ｃ  土踏まず部
４  踵部材
５  靴底板
６  スリップ部、６Ａ  延長部
７  非スリップ部
８  踵部材
【図１】
0003126498.tif 000003
【図２】
0003126498.tif 000004
【図３】
0003126498.tif 000005